(57)【要約】      （修正有）【課題】キー再設定可能なシリンダーロックを提供する。【解決手段】ケーシング内で回転できるように取り付けられたプラグと、プラグを貫いて、プラグの回転を防止するロック位置と、回転を可能にするアンロック位置の間で移動できるように取り付けられたウエハとを備え、上定位ピンが第一タンブラーと第二タンブラーの間に定位される際、第一タンブラーと第二タンブラーと一緒に第三タンブラーに対して回転され、上定位ピンと定位ピンが第二タンブラーと第三タンブラーの間に定位され、第二タンブラーと第三タンブラーと一緒に第一タンブラーに対して回転されるようにする。【選択図】なし【特許請求の範囲】
【請求項１】
キー再設定可能なシリンダーロックは、ロックハウジング，プラグ，キー再設定ユニットと制御部を含むが、ロックハウジングが縦軸と定義し、プラグが前述のロックハウジングに配列され、且つ咬合部を有する第1のタンブラーピースを含み、キー再設定ユニットが前述の咬合部を離脱可能に従事することを特徴とする、キー再設定可能なシリンダーロック。
【請求項２】
複数の溝を有するキーで操作するようになっているシリンダーロックにおいて、ケーシング内で軸回転できるように取り付けられたプラグと、プラグを貫いて形成されたガイドハウジング内を、前記プラグの軸回転を防止するロック位置と、この軸回転を可能にするアンロック位置との間で移動できるように取り付けられた、少なくとも１つのウエハとを備えることを特徴とする、キー再設定可能なシリンダーロック。
【請求項３】
シリンダーロックは、所定の方向にロック位置に移動されるウエハを、反対方向のロック位置に移動されるウエハと実質的に同数有することを特徴とする、請求項１または２に記載のキー再設定可能なシリンダーロック。
【請求項４】
全ての手段は、プラグ内でウエハの同じ側に取り付けられていることを特徴とする、請求項１〜３のいずれかに記載のキー再設定可能なシリンダーロック。
【請求項５】
各弾性戻し手段は、関連するウエハをロック位置に向かって長手方向に常に付勢する圧縮コイルバネからなっていることを特徴とする、請求項１〜５のいずれかに記載のキー再設定可能なシリンダーロック。
【請求項６】
アンロック位置では、各ウエハは、プラグ内に実質的に完全に入り込むようになっていることを特徴とする、キー再設定可能なシリンダーロック。
【発明の詳細な説明】
【技術分野】
【０００１】
本発明は、シリンダーロックに関し、特にキー再設定可能なシリンダーロックを指す。
【背景技術】
【０００２】
キーと直交する薄板アレスターを動作させるロータリーキーを備えたロックも存在する。ロックのアレスターはキーを差し込むことによってロックシリンダーを調節し、このロックシリンダーの内部では、スライドバルブはキー以外の手段によって動作させられ、順列によってロックし、表示デバイスあるいは時間カウンターを用いてロックし、特定の目的などのためにロックする。
【０００３】
シリンダーは半円筒形として形成され、かつ、その上側の本質的に丸いシリンダー部分に、シリンダーコアの組み込みのためのコアの軸方向開口部を備えたシリンダーハウジングを含んでいる。シリンダーコアの回転はこうしてロック要素に伝達される。ロック要素はシリンダーハウジングのスリット内で軸方向には移動できないままである。このハウジング貫通孔は、キー自身と共にキーのスプリングを保持するよう機能する。
【０００４】
コア貫通孔はシリンダーコアに対して半径方向に配置され、ハウジング貫通孔と真っ直ぐになった回り止めピンを保持する。
【０００５】
ハウジングキーおよびコアキーはリミッターを形成し、これは、キーが差し込まれていないとき、シリンダーコアの回転を、したがってロック要素の回転をも阻止する。コアクサビは、シリンダーコア内のチャネル内に適切なキーを差し込むことによってのみ動作し、この結果、コアクサビとハウジングクサビとの間の特殊なリンクは、シリンダーコアのスライドリンクのレベルに配置される。
【図面の簡単な説明】
【０００６】
【図１】
【図２】
【図３】
【図４】
【図５】
【図６】
【図７】
【図８】
【図９】
【図１０】
【図１１】
【図１２】
【図１３】
【図１４】
【図１５】
【図１６】
【図１７】
【図１８】
【図１９】
【図２０】
【図２１】
【図２２】
【図２３】
【図２４】
【図２５】
【図２６】
【図２７】
【図２８】
【図２９】
【図３０】
【図３１】
【図３２】
【図３３】
【図３４】
【図３５】
【発明を実施するための形態】
【０００７】
この実施例では、コレツトチャツクシリンダーのコレツトチャツクピストン作動用のシリンダーポートからのエアー圧力がばねによる圧力より低い状態にしておけば、コレツトチャツクピストンはばねで付勢されているためコレツトチャツクのテーパー面は、コレツトチャツクシリンダーの面と離れておりシリンダーロツドはロツクされない。
【０００８】
この実施例の液体用シリンダーはシリンダーロツドの先端にコレツトチャツクを持ち、このコレツトチャツクをコレツトチャツクシリンダーにより前後させシリンダーロツドをチャツキングしてロツクする。
【０００９】
従来の装置では軸を偏心させる荷重が加わり、長期的にみてシリンダーの寿命の短命化につながる可能性が有るが、Ａ方向へのロツク機構も合わせ持つている。
【００１０】
シリンダーロツドの先端には出力伝達体たる剛性体又はフレキシブルな物体を介して容器が接続されており、内部にはボツクスが荷重方向に対して自由に移動可能な方法で取付けられている。
【００１１】
また、以上のように構成されたローディングストップからの記録、再生時のテープ駆動装置におけるシリンダー起動処理について、フローチャートを用いてその動作を説明する。
【００１２】
結果が真の場合は、プロセスを実行し、結果が偽の場合はプロセスにてシリンダー再起動処理関係のフラグの初期化を行い、続いてプロセスにてシリンダー回転モード指令の解除、プロセスにてキャプスタン回転モード指令の解除、プロセスにてピンチローラ解除指令を出力してピンチローラ解除動作を行いローディングストップにする。
【００１３】
また、アンローディング状態でもシリンダー起動が不可能な異常モードと判断して、シリンダーロックモードフラグをセットし、続いてプロセス２１２でＦ１ａをクリアしてシリンダー起動処理を中止すると共に、プロセス２１３にてＳ１ｉを出力してローディング動作をさせローディングストップへ移行する。そして、プロセス２１４にて記録、再生実行不可能ということでテープ走行モードを強制的に解除する。
【００１４】
弁は中心に弁の通孔を有し周囲に流体通過用の穴に設けられているガイド隔壁を介して保持されている。
【００１５】
ばねはボツクスを荷重方向へ一定の圧力で押すばねで、このばねを介在させることによつて、出力伝達体及び容器，受けを主体とする荷重伝達体等の荷重に対するシリンダー出力を常時確保することができる。また、受けには流体排出用の流体通路が設けられ、容器に設けられた穴によつて大気圧開放されている。
弁は受けを介して容器に受けられているため、荷重方向への移動は規制されている。
【００１６】
これはピストンに生ずる推力と隔壁を介してボツクスの生ずる反荷重方向の推力とが比例関係にあることを示す。比例状態に入るとボツクスは浮き上り、流体通路は閉となる。このときシリンダーにはその圧力に比例した推力が反荷重方向に作用する。
【００１７】
これは比例した出力関係の中の１つの関係であり、力関係を変えたいときは滑車又はテコの原理により受圧面積を変えればよい。この比例した力関係は荷重体の荷重が１００％生じている場合、すなわち地上からはなれている場合においても同様になる。
【図１】
2010077798.tif 000002
【図２】
2010077798.tif 000003
【図３】
2010077798.tif 000004
【図４】
2010077798.tif 000005
【図５】
2010077798.tif 000006
【図６】
2010077798.tif 000007
【図７】
2010077798.tif 000008
【図８】
2010077798.tif 000009
【図９】
2010077798.tif 000010
【図１０】
2010077798.tif 000011
【図１１】
2010077798.tif 000012
【図１２】
2010077798.tif 000013
【図１３】
2010077798.tif 000014
【図１４】
2010077798.tif 000015
【図１５】
2010077798.tif 000016
【図１６】
2010077798.tif 000017
【図１７】
2010077798.tif 000018
【図１８】
2010077798.tif 000019
【図１９】
2010077798.tif 000020
【図２０】
2010077798.tif 000021
【図２１】
2010077798.tif 000022
【図２２】
2010077798.tif 000023
【図２３】
2010077798.tif 000024
【図２４】
2010077798.tif 000025
【図２５】
2010077798.tif 000026
【図２６】
2010077798.tif 000027
【図２７】
2010077798.tif 000028
【図２８】
2010077798.tif 000029
【図２９】
2010077798.tif 000030
【図３０】
2010077798.tif 000031
【図３１】
2010077798.tif 000032
【図３２】
2010077798.tif 000033
【図３３】
2010077798.tif 000034
【図３４】
2010077798.tif 000035
【図３５】
2010077798.tif 000036
【手続補正書】
【提出日】平成21年12月8日(2009.12.8)
【手続補正１】
【補正対象書類名】明細書
【補正対象項目名】全文
【補正方法】変更
【補正の内容】
【発明の詳細な説明】
【技術分野】
【０００１】
本発明は、シリンダー錠に関し、さらに詳細には鍵の付替えが可能なシリンダー錠に関する。
【背景技術】
【０００２】
従来、扉に取り付けられた錠の鍵を付け替える必要がある場合、錠を扉から取り外して錠から内筒を分解し、内筒のタンブラーピンを交換して新しい鍵に合うようにする。タンブラーピンの交換後、錠を再び組み立て、扉に再び取り付ける。しかしながら、錠の分解および再組立、並びにタンブラーピンの交換は、一定レベルの技能と錠の構造に関する知識を必要とし、特殊な工具を用いて通常、錠前師または熟練工によって行われる。そのため、鍵の付替えの従来の方法は、不便である。
【発明の概要】
【発明が解決しようとする課題】
【０００３】
本発明の目的は、歯車と解放可能に係合したタンブラー片を有する新型のシリンダー錠を提供することである。
【課題を解決するための手段】
【０００４】
本発明の１つの特徴は、縦軸を定義する錠ハウジングと、錠ハウジング内に配置され、歯部を有する第１タンブラー片を含む内筒と、歯部を解放可能に係合し、縦軸の横方向に動かすことによって歯部から係脱可能な鍵付替えユニットと、錠ハウジング内に配置され、鍵付替えユニットの横方向の動きを許可または制限する制御部材とを備えた鍵の付替えが可能なシリンダー錠である。前記制御部材は、第１位置と第２位置との間を軸方向に動くことが可能である。前記制御部材は、第２位置から第３位置に横方向に動く。前記鍵付替えユニットは、制御部材が横方向に動くと、歯部から横方向に動く。
【０００５】
本発明のもう１つの特徴は、錠ハウジングと、錠ハウジング内に配置され、歯部を有する第１タンブラー片を有する内筒と、歯部に係合し、動かして歯部から離脱可能な鍵付替えユニットと、錠ハウジング内に配置され、鍵付替えユニットの動きを許可または制限する制御部材とを備えた鍵の付替えが可能なシリンダー錠である。前記制御部材は、錠ハウジングの前端近くの制御部材の前端から突出し、錠ハウジングの前端を介して手動で操作可能であり、制御部材を動かし、鍵付替えユニットを歯部から離脱することができるセキュリティアームを有する。前記セキュリティアームは、破壊可能であり、制御部材の前端から分離することによって、外力が制御部材に到達することを防止することができる。
【０００６】
本発明のさらなる特徴は、内筒穴、および内筒穴に近接した保持穴を有する錠ハウジングと、錠ハウジング内の内筒穴に配置され、鍵穴、歯部を有する第１タンブラー片、および鍵穴の端近くに配置された第２タンブラー片を含む内筒と、歯部に係合し、動かして歯部から離脱可能な鍵付替えユニットとを備えた鍵の付替えが可能なシリンダー錠である。前記第２タンブラー片は、鍵の延長用の中央開口部、中央開口部の片側に配置された保持ピン、保持ピンの周りに被せたばね、および保持ピンに対峙し、ばねによって付勢され、錠ハウジングの保持穴に係合することによって、錠ハウジングに対して内筒が回転することを防止する係合端を有する。
【０００７】
本発明のその他の特徴および利点については、本発明の好ましい実施例の以下の詳細な説明により、添付図面を参照し、明らかにする。
【図面の簡単な説明】
【０００８】
【図１】本発明の第１実施例による鍵の付替えが可能なシリンダー錠の透視図である。
【図２】鍵の付替えが可能なシリンダー錠の分解図である。
【図３】鍵の付替えが可能なシリンダー錠の錠ハウジングの部分透視図である。
【図４】鍵の付替えが可能なシリンダー錠の制御部材の透視図である。
【図５】鍵の付替えが可能なシリンダー錠の内筒の透視図である。
【図６】鍵の付替えが可能なシリンダー錠の鍵付替えユニットのギヤホルダーの部分透視図である。
【図７】鍵付替えユニットの分解図である。
【図８】鍵の付替えが可能なシリンダー錠の縦断面図である。
【図９】図８の９−９線の横断面図である。
【図１０】図８の１０−１０線の横断面図である。
【図１１】図８の１１−１１線の横断面図である。
【図１２】図８と同じ図であるが、第１鍵を内筒に挿入した状態を示した図である。
【図１３】図１２の１３−１３線の横断面図である。
【図１４】図１２の１４−１４線の横断面図である。
【図１５】図１２の１５−１５線の横断面図である。
【図１６】図１２と同じ図であるが、歯車を各第１タンブラー片から離脱した状態を示した図である。
【図１７】図１６の１７−１７線の横断面図である。
【図１８】図１６の１８−１８線の横断面図である。
【図１９】図１６と同じ図であるが、第１鍵が内筒から外された状態を示した図である。
【図２０】図１９の２０−２０線の横断面図である。
【図２１】図１９の２１−２１線の横断面図である。
【図２２】図１９と同じ図であるが、第２鍵が挿入された状態を示した図である。
【図２３】図２２の２３−２３線の横断面図である。
【図２４】図２２の２４−２４線の横断面図である。
【図２５】図２３と同じ図であるが、歯車を各第１タンブラー片に再係合した状態を示した図である。
【図２６】図２４と同じ図であるが、歯車を各第１タンブラー片に再係合した状態を示した図である。
【図２７】本発明の第２実施例による鍵の付替えが可能なシリンダー錠の透視図である。
【図２８】図２７の鍵の付替えが可能なシリンダー錠の分解図である。
【図２９】図２７の鍵の付替えが可能なシリンダー錠のもう１つの透視図である。
【図３０】図２７の鍵の付替えが可能なシリンダー錠の立面図である。
【図３１】図２７の鍵の付替えが可能なシリンダー錠の断面図である。
【図３２】図２９と同じ図であるが、制限部材が制御部材の後端に合わせられていない状態を示した図である。
【図３３】図３０と同じ図であるが、制限部材が制御部材の後端に合わせられていない状態を示した図である。
【図３４】図３１と同じ図であるが、制限部材が制御部材の後端に合わせられていない状態を示した図である。
【図３５】本発明の第３実施例による鍵の付替えが可能なシリンダー錠の分解図である。
【発明を実施するための形態】
【０００９】
本発明をさらに詳細に説明する前に、明細書を通して同様の素子を示すために同じ参照番号が用いられていることを注記する。
【００１０】
図１および図２は、錠ハウジング１１と、内筒アセンブリ２と、制御部材４１と、ばね４２と、保持リング５１とを備える、本発明の第１実施例による鍵の付替えが可能なシリンダー錠１を示す。
【００１１】
図３および図２に示すように、錠ハウジング１１は、第１端１１１および第２端１１２のある 円筒壁１１３を有する。円筒壁１１３は、円柱形の内筒穴１２０を限定する内面１１４と、内筒穴１２０に並置され、第１端１１１から第２端１１２に縦方向に延伸したキャビティ１１９と、ばね空間１１７と、４つのガイド穴１１６とを有する。キャビティ１１９は、第１端１１１で開口する。四半球状凹部１２４が第１端１１１に形成されている。
【００１２】
図４および図２に示すように、制御部材４１は、キャビティ１１９内に配置され、鍵付替えユニット３の横方向の動きを許可または制限する、実質的に矩形のプレートである。制御部材４１は、錠ハウジング１１に対して軸方向および後方に動くことができ、ばね空間１１７に延伸するタング４１１および凹面４１２が形成された前端を含む。ばね４２は、凹面４１２およびばね空間１１７に配置され、タング４１１を付勢する。制御部材４１は、さらに間隔のあいた４つのガイドノーズ４１３および一列に間隔をあけて配列した５つの戻り止めスロット４１４を有する。各ガイドノーズ４１３は、２つの対峙する斜面４１６を有する。タング４１１は、正面４１５を有する。
【００１３】
図５および図２に示すように、内筒アセンブリ２は、内筒２１と、複数の第１タンブラー片２３と、鍵付替えユニット３とを含む。鍵付替えユニット３は、制御部材４１によって制御される。
【００１４】
内筒２１は、鍵穴２１４（図１）と、前端フランジ２１１を有する前内筒部と、中内筒部２１２と、後内筒部２１３とを含む。前内筒部２１１は、ばね２７によって付勢され抗穿孔ボール２５をそれぞれ収容する２つの放射状スロット２２２（１つのみ表示）を有する。後内筒部２１３は、伝動ロッド（未表示）に接続可能であり、保持リング５１を収容する環状溝２２３を有する。内筒２１が錠ハウジング１１の内筒穴１２０に挿入されているときに、保持リング５１によって内筒穴１２０内に回転可能に保持される。
【００１５】
中内筒部２１２は、それぞれタンブラーばね２４を収容する、間隔のあいた複数のばね穴２２４と、第１タンブラー片２３をそれぞれ収容する、間隔のあいた複数のタンブラー穴２１６と、鍵穴２１４の一端に配置され、第２タンブラー片２８およびばね２４を収容するタンブラー穴２２５とを有する。各ばね穴２２４は、タンブラー穴２１６のうちいずれかに通じる。中内筒部２１２は、実質的に円柱形であり、その片側に溝２２８が形成されている。タンブラー穴２１６は溝２２８に通じる。仕切りばね２６は、中内筒部２１２と鍵付替えユニット３との間に配置され、各ばねリテーナー２１７に取り付けられる（図２には１つのみ表示）。
【００１６】
第１タンブラー片２３は、タンブラー穴２１６によってそれぞれ収容される平らな部品である。各第１タンブラー片２３は、各タンブラーばね２４と、歯部２３２と、鍵接触部２３３と、突起２３４とに当接するばね支持部２３１を有する。
【００１７】
第２タンブラー片２８は、中央開口部２８１と、対応するばね２４に延伸する保持ピン２８４と、ばね２４に対峙する係合端２８３とを有する。
【００１８】
図６〜図９および図２に示すように、鍵付替えユニット３は、内筒２１の溝２２８に配置され、内筒２１に沿って回転可能である。鍵付替えユニット３は、ギヤホルダー３１と、カバープレート３２と、複数の歯車３３と、複数の戻り止め素子３４と、戻り止めばね３５とを含む。ギヤホルダー３１は、外側の曲面３１２と、内側の平面３１１とを有する。隆起部３２０は、外側の曲面３１２から突出する。複数の段付穴は、隆起部３２０から内側に延伸し、大穴部３１７に接続する小穴部３１９をそれぞれ有する。縦スロット３１３は、平面３１１近くで５つの横スロット３１４と交差する。ギヤホルダー３１は、収容空間３１５と、２つのスロット３０９と、４つのピン３１６（２つのみ表示）と、四半球凹部３１８とをさらに有する。隆起部３２０は、複数の斜面３１０を有する。
【００１９】
各戻り止め素子３４は、頭付きの棒状に形成され、茎部３４１をギヤホルダー３１の各小穴部３１９および制御部材４１に形成された各戻り止めスロット４１４の中に延伸可能なような大きさと形状にした茎部３４１と、頭部３４２が各戻り止めばね３５を保持可能なような大きさと形状にした頭部３４２とを有する。各戻り止め素子３４の茎部３４１および頭部３４２は、各段付穴の小穴部３１９および大穴部３１７にそれぞれ収容される。各戻り止めばね３５は、各戻り止め素子３４の茎部３４１に被せられる。
【００２０】
各歯車３３は、各第１タンブラー片２３の歯部２３２に解放可能に係合する放射状の歯３３１と、歯車３３の中央部に同軸状に接続された一体型のカム部３３２とを有する。各歯車３３は、各横スロット３１４に収容され、各カム部３３２は、縦スロット３１３に収容される。歯車３３は、鍵を内筒２１に挿入した際に、第１タンブラー片２３の動きに反応して回転可能である。各カム部３３２は、陥没面３３３を有し、各歯車３３に沿って回転し、各戻り止め素子３４を制御して各戻り止めスロット４１４から係脱することができる。戻り止め素子３４の頭部３４２がカム部３３の各陥没面３３３に接触すると、戻り止め素子３４が各戻り止めスロット４１４から離脱する。
【００２１】
カバープレート３２は、収容空間３１５に収容され、複数の横穴３２１と、４つのピン穴３２２とを有する。横穴３２１は、それを介して、各歯車３３の歯を延伸して、内筒２１に配置された各第１タンブラー片２３への係合を許す。ピン穴３２２は、各ピン３１６の挿入のために備えられている。カバープレート３２は、カム部３３２の一部を収容する縦凹部３２５をさらに有する。
【００２２】
図２〜図９に示すように、制御部材４１は、錠ハウジング１１の第１端１１１から露出したその正面４１５でキャビティ１１９の中に組み立てられる。ばね４２は、錠ハウジング１１のばね空間１１７および凹面４１２の中に置かれ、制御部材４１のタング４１１を付勢し、制御部材４１が第１位置に向けて正常に前進するようにする（図８〜図１２）。制御部材４１は、手動で操作可能であり、第１位置から第２位置に軸方向および後方に動くことができ（未表示）、第２位置に到達直後に、第３位置（図１６）に向けて横方向に動くことができる。第２位置において、ガイドノーズ４１３は錠ハウジング１１の各ガイド穴１１６の外側にあるが、各ガイド穴１１６に合わせてある。第３位置において、ガイドノーズ４１３は各ガイド穴１１６内に延伸する。
【００２３】
制御部材４１が第１位置および第２位置にあるときに、ギヤホルダー３１の隆起部３２０は内筒穴１２０に収容され（図９参照）、 制御部材４１が第３位置にあるときに、内筒穴１２０からキャビティ１１９内に突出する（図１７参照）。
【００２４】
第１タンブラー片２３およびタンブラーばね２４は、それぞれタンブラー穴２１６およびばね穴２２４に組み立てられる。第２タンブラー片２８および各ばね２４は、タンブラー穴２２５に収容される。第１タンブラー片２３のばね支持部２３１は、各ばね２４に当接する。保持ピン２８４は、各ばね２４に延伸する。第１タンブラー片２３の歯部２３２は、タンブラー穴２１６の開口部から露出するように配置される。
【００２５】
図１０〜図１１および図８〜図９に示すように、鍵が内筒２１に挿入されていないときに、タンブラー片２３はタンブラーばね２４の動きによって各タンブラー穴２１６の底端に動かされ、各第１タンブラー片２３に係合された歯車３３は、カム部３３２が各戻り止め素子３４を駆動し、ギヤホルダー３１内の段付穴を通って各戻り止めスロット４１４に突出する位置にある。第２タンブラー片２８の係合端２８３は、各ばね２４によって付勢され、錠ハウジング１１の段付保持穴１２１に延伸する（図１１）。そのため、内筒アセンブリ２は、錠ハウジング１１に対する回転が制限される。
【００２６】
図１２〜図１５に示すように、内筒２１を回転せずに第１鍵６１が鍵穴２１４に挿入されているとき、第１鍵６１が第１タンブラー片２３をタンブラーばね２４に対して動かし、その歯部２３２が各歯車３３およびカム部３３２を回転させる。第１鍵６１は第２タンブラー片２８の中央開口部２８１にも延伸し、第２タンブラー片２８を動かして錠ハウジング１１の段付保持穴１２１から離す。この状態で、カム部３３２の陥没面３３３が各戻り止め素子３４に接触し、戻り止めばね３５の動きにより戻り止め素子３４が動いて各戻り止めスロット４１４から離れる。つまり、戻り止め素子３４が戻り止めスロット４１４から後退する。
【００２７】
図１６〜図１８に示すように、第１鍵６１がまだその定位置である内筒２１の中にあるときにツール２９がキャビティ１１９に挿入されると、ツール２９が制御部材４１の正面４１５を押し、制御部材４１のガイドノーズ４１３が錠ハウジング１１の各ガイド穴１１６に合っていない第１位置から（図８、図１０）、ガイドノーズ４１３が各ガイド穴１１６に合っている第２位置に、制御部材４１が動かされる。この状態で、ガイドノーズ４１３はすぐに横方向に動き、各ガイド穴１１６に延伸することによって、第３位置（図１８）に到達する。これによって、ギヤホルダー３１は、仕切りばね２６の動きを介して、横方向に動くことができるようになる。その結果、歯車３３が第１タンブラー片２３の各歯部２３２から離脱することによって、第１タンブラー片２３の鍵付替えができるようになる。
【００２８】
図１９〜図２１および図１１に示すように、ツール２９は錠ハウジング１１から外され、第１鍵６１は内筒２から外され、第１タンブラー片２３で、第１鍵６１とは異なる外形を有する第２鍵６２に鍵が付替えられる（図２２）。第１鍵６１が外されると、第１タンブラー片２３および第２タンブラー片２８が元の位置に戻り、内筒２１が回転しなくなる。この状態で、ツール２９は外されているが、ばね２６によって付勢されたギヤホルダー３１によってガイドノーズ４１３が各ガイド穴１１６の中に押されているため、制御部材４１は第１位置に戻っていない。
【００２９】
図２２〜図２４に示すように、第２鍵６２が挿入されると、第１タンブラー片２３の歯部２３２が、第２鍵６２の異なる外形に基づき、再位置決めされる。図２５および図２６に示すように、第２鍵６２が所定の角度に回転させられると、内筒２１がギヤホルダー３１とともに回転し、定位置から離れる。そのため、ギヤホルダー３１の隆起部３２０の斜面３１０が錠ハウジング１１の斜面１１８によって徐々に押され、ギヤホルダー３１が内筒２１の溝２２８内に後退することによって、第１タンブラー片２３の歯部２３２を再係合し、再位置決めする。制御部材４１はすでにギヤホルダー３１によって押されていないため、付勢するばね４２の動きにより、第１位置に戻ることができる（図２）。その理由は、ガイドノーズ４１３の斜面４１６（図２）を錠ハウジング１１内の各ガイド穴１１６の縁の上で徐々に滑動させることにより、付勢するばね４２がガイドノーズ４１３を各ガイド穴１１６の外に出すためである。その後、第２鍵６２は回転して内筒２１をその定位置に戻すことができる。
【００３０】
図２７および図２８は、錠ハウジング１１′と、内筒アセンブリ２′と、制御部材４１′と、伝動ロッド７１′と、エンドキャップ８′とを備える本発明の第２実施例によるシリンダー錠１′を示す。
【００３１】
錠ハウジング１１′は、第１実施例の錠ハウジング１１に実質的に相似している。しかしながら、円筒壁１１３′は、前端１１１′に前切欠１０９′を、 後端１１２′に後切欠１１０′を有する。
【００３２】
内筒アセンブリ２′は、第１実施例の内筒アセンブリ２に実質的に相似している。しかしながら、第１タンブラー片２３′は第１タンブラー片２３と形状が異なる。内筒２１′の前端フランジ２１１′には前切欠２１０′および前バンプ２０９′が備えられている。内筒２１′の後内筒部２１３′は、環状内筒溝２９１′が形成された外面と、後穴２９２′内に形成された第１伝動部２９０′（図２８、図３１）を有する。
【００３３】
鍵付替えユニット３′および制御部材４１′は、第１実施例における鍵付替えユニット３および制御部材４１に実質的に相似している。しかしながら、制御部材４１′は、錠ハウジング１１′の前端１１１′近くで制御部材４１′前端から横方向に周囲に突出し、錠ハウジング１１′の前端１１１′を介して手動で操作可能であり、制御部材４１′を動かすことができるセキュリティアーム４１８′を有する。制御部材４１′の後端には、停止面４３′が形成されている。制御部材４１′のセキュリティアーム４１８′は、錠ハウジング１１′の前切欠１０９′内に延伸し、前切欠１０９′内で後方に動くことができる。内筒２１′の前端フランジ２１１′内の前切欠２１０′は、内筒２１′が施錠位置にあるときに、セキュリティアーム４１８′と合わせることができる。セキュリティアーム４１８′は、破壊可能であり、過剰な力でツールによって押されたときに、制御部材４１′の前端から分離することができる。制御部材４１′の戻り止めスロット４１４は、略円形または楕円形とすることができる。
【００３４】
伝動プレート７１′は、第１従動部７１１′が形成された拡大したエンドプレート７１０′と、第２伝動部７１２′とを有する。エンドプレート ７１０′および第２伝動部７１２′が後穴２９２′に挿入されると、第１従動部７１１′が内筒２１′の第１伝動部２９０′を係合し、これによって駆動することができる。遮断リング７２′は、後穴２９２′内に嵌合され、エンドプレート ７１０′を内筒２１′に対して押すことによって、伝動プレート７１′が内筒２１′から解放されることを防止する。
【００３５】
エンドキャップ８′は、後内筒部２１３′の周りに回転可能に配置された周壁８１′と、周壁８１′の後端に接続された端壁８１０′とを含む。周壁８１′の前部は、錠ハウジング１１′の後部の周りに延伸する（図３１参照）。施錠リング７４′が周壁８１′と後内筒部２１３′との間に配置されている。端壁８１０′は、開口部８１１′と、開口部８１１′内に突出した複数の第２従動部８１４′とを有する。周壁８１′は、２つの前に突出する制限部材８１２′と、周壁８１′内に延伸する円弧状スロット８１３′と、周壁８１′の内面に形成された環状キャップ溝８１５′（図３１、図３４）とを有する。環状キャップ溝８１５′は、環状内筒溝２９１′に合わせられ、施錠リング７４′を収容する環状空間を定義することによって、エンドキャップ８′が後内筒部２１３′から解放されることを防止する。
【００３６】
伝動ロッド７１′をエンドキャップ８′の開口部８１１′から後穴２９２′に挿入することによって、第２伝動部７１２′を係合し、第２従動部８１４′を駆動することができる。
【００３７】
固定リング７３′は、錠ハウジング１１′の後ろの周壁８１′内で回転不可能に後内筒部２１３′の周りに被せられ、錠ハウジング１１′の後端に当接する。固定リング７３′は、ガイド片７３２′と、そこから突出する耳７３３′とを有する。耳７３３′は、錠ハウジング１１′の後切欠１１０′内に係合することによって、固定リング７３′の回転を制限する。ガイド片７３２′は、固定リング７３′から円弧状スロット８１３′内に突出する。耳７３３′が後切欠１１０′内に係合しているとき、ガイド片７３２′は制御部材４１′の後端で停止面４３′に合わせられている。
【００３８】
図２９〜図３１に示すように、内筒２１′が施錠位置にあり、鍵が内筒２１′内に挿入されていない。戻り止め素子３４′が各戻り止めスロット４１４に延伸する。制限部材８１２′が、制御部材４１′の停止面４３′と合った制限位置にあることによって、制御部材４１′が後方に移動することを制限する。図２９の矢印（Ｆ）に示すように、この位置で内筒２′の前切欠２１０′から制御部材４１′に過剰な推力がかけられると、セキュリティアーム４１８′が壊れることによって、外力は制御部材４１′に到達せず、同様に破壊されることがない。
【００３９】
図３２〜図３４に示すように、第１鍵６１を内筒２１′内に挿入すると、戻り止め素子３４が戻り止めスロット４１４から後退する。第１鍵６１をある角度回転させると、第１伝動部２９０′が第１従動部７１１′を駆動して伝動プレート７１′を回転させ、第２伝動部７１２′が第２従動部８１４′を動かす。これによって、エンドキャップ８′の制限部材８１２′が、制御部材４１′の後端から、制御部材４１′の後端に合っていない非制限位置に、周囲に向けて動かされる。この状況で、第１伝動部２９０′が第１従動部７１１′から離れて逆向き動くため、内筒２１′は、伝動プレート７１′および制限部材８１２′を動かさずに逆向きに回転することができる。制限部材８１２′が非制限位置にあるため、セキュリティアーム４１８′をツールで押すことによって、制御部材４１′を後方に動かすことができ、第２鍵６２（図２２〜図２６に表示）を内筒２１′内に挿入して鍵付替えプロセスを行うことができる。
【００４０】
図３５に示すように、シリンダー錠１′の内筒２１′は、本発明の第３実施例のように変更することができる。詳細には、内筒２１′の後内筒部２１３′は、後穴２９２″と、後穴２９２″に形成された第１伝動部２９０″を有する。伝動プレート７１″の第１従動部７１１″は、後穴２９２″内に延伸し、第１伝動部２９０″と相互作用する。第２伝動部７１２″は、第２従動部８１４′と相互作用する。
【００４１】
本発明の最も実用的で好ましい実施例について説明したが、本発明を開示された実施例に限定するものと理解してはならず、最も広範な解釈および同等の構成の趣旨および範囲内の様々な構成を網羅することが意図されている。
【手続補正２】
【補正対象書類名】特許請求の範囲
【補正対象項目名】全文
【補正方法】変更
【補正の内容】
【特許請求の範囲】
【請求項１】
鍵の付替えが可能なシリンダー錠において、
縦軸を定義する錠ハウジングと、
該錠ハウジング内に配置され、歯部を有する第１タンブラー片を含む内筒と、
該歯部を解放可能に係合し、該縦軸の横方向に動かすことによって該歯部から係脱可能な鍵付替えユニットと、
該錠ハウジング内に配置され、該鍵付替えユニットの横方向の動きを許可または制限する制御部材であって、第１位置と第２位置との間を軸方向に動くことが可能であり、該第２位置に到達したときに第３位置に横方向に動く制御部材と、
を備え、該鍵付替えユニットは、該制御部材が横方向に動くと、該歯部から横方向に動く、鍵の付替えが可能なシリンダー錠。
【請求項２】
該錠ハウジングが、該内筒を収容する内筒穴と、該内筒穴に近接し該制御部材を収容するキャビティと、該キャビティに近接したガイド穴とを有し、該制御部材が、該制御部材が該第３位置に動くときに横方向に該ガイド穴内に動くガイドノーズを有する請求項１に記載の鍵の付替えが可能なシリンダー錠。
【請求項３】
該鍵付替えユニットが、該歯部に解放可能に係合する歯車と、該歯車を保持するギヤホルダーを有し、該歯車および該ギヤホルダーは、該制御部材が該第３位置に動いたときに、該歯部から横方向に動き、該制御部材が、戻り止めスロットを有し、該鍵付替えユニットが、該ギヤホルダーに配置され該戻り止めスロットに延伸可能な戻り止め素子をさらに有することによって、該錠ハウジングに対して該内筒が回転することを防止し、該該鍵付替えユニットが、該歯車に同軸状に接続したカム部をさらに有し、該戻り止め素子を該戻り止めスロットに押す請求項２に記載の鍵の付替えが可能なシリンダー錠。
【請求項４】
鍵の付替えが可能なシリンダー錠において、
錠ハウジングと、
該錠ハウジング内に配置され、歯部を有する第１タンブラー片を有する内筒と、
該歯部に係合し、動かして該歯部から離脱可能な鍵付替えユニットと、
該錠ハウジング内に配置され、該鍵付替えユニットの動きを許可または制限する制御部材であって、該錠ハウジングの前端近くの該制御部材の前端から突出し、該錠ハウジングの該前端を介して手動で操作可能であり、該制御部材を動かし、該鍵付替えユニットを該歯部から離脱することができるセキュリティアームを有し、該セキュリティアームは、破壊可能であり、該制御部材の該前端から分離することによって、外力が該制御部材に到達することを防止することができる制御部材と、
を備えた鍵の付替えが可能なシリンダー錠。
【請求項５】
該錠ハウジングの該前端に、該セキュリティアームに近接した前切欠を有し、該セキュリティアームは、該制御部材の該前端から該錠ハウジングの該前切欠内に、周囲に突出する請求項４に記載の鍵の付替えが可能なシリンダー錠。
【請求項６】
鍵の付替えが可能なシリンダー錠において、
内筒穴、および該内筒穴に近接した保持穴を有する錠ハウジングと、
該錠ハウジング内の該内筒穴に配置され、鍵穴、歯部を有する第１タンブラー片、および該鍵穴の端近くに配置された第２タンブラー片を含む内筒と、
該歯部に係合し、動かして該歯部から離脱可能な鍵付替えユニットと、
を備え、該第２タンブラー片は、鍵の延長用の中央開口部、該中央開口部の片側に配置された保持ピン、該保持ピンの周りに被せたばね、および該保持ピンに対峙し、該ばねによって付勢され、該錠ハウジングの該保持穴に係合することによって、該錠ハウジングに対して該内筒が回転することを防止する係合端を有する鍵の付替えが可能なシリンダー錠。
【外国語明細書】
2010077798000001.pdf